(57)【特許請求の範囲】
【請求項１】
多段の棚部材と、前記各棚部材間を上下に所定間隔で連結した縦状部材とで区画された連続する多数の個室とを備え、
前記各棚部材は下の段がせり出したベランダ部を有し、
前記各棚部材と縦状部材とはおのおの網状素材で構成された海老等の甲殻類の養殖装置であって、
該海老等の甲殻類の養殖装置は、該海老等の甲殻類の養殖装置を設置する養殖用水槽の底面から所定高さに保持することができるとともに、水面から棚部材の上面までの距離が成長に伴う脱皮の直後の軟質体が水中に沈み込んでしまう深さに保持することができる高さ保持部材を備えており、
前記各棚部材と縦状部材とで構成された多数の個室内に個々の海老が入り込んで共食いなく養殖することができるようにしたことを特徴とする海老等の甲殻類の養殖装置。
【請求項２】
前記縦状部材が、直線状または曲線状に折返された波状からなることを特徴とする請求項１に記載の海老等の甲殻類の養殖装置。
【請求項３】
前記高さ保持部材が、前記海老等の甲殻類の養殖装置の少なくとも四隅に配設された支持脚または吊下げ部材からなることを特徴とする請求項１または２に記載の海老等の甲殻類の養殖装置。
【請求項４】
海老等の甲殻類の養殖装置と、該養殖装置を設置する養殖用水槽とからなる海老等の甲殻類の養殖装置および該養殖装置を設置した養殖用水槽であって、
前記養殖装置は、多段の棚部材と、前記各棚部材間を上下に所定間隔で連結した縦状部材とで区画された連続する多数の個室とを備え、
前記各棚部材は下の段がせり出したベランダ部を有し、
前記各棚部材と縦状部材とはおのおの網状素材で構成され、
前記養殖用水槽の底面から所定高さに保持することができるとともに、水面から棚部材の上面までの距離が成長に伴う脱皮の直後の軟質体が水中に沈み込んでしまう深さに保持することができる高さ保持部材を備えており、
前記各棚部材と縦状部材とで構成された多数の個室内に個々の海老が入り込んで共食いなく養殖することができるようにするとともに、
前記養殖用装置は、ほぼ中央に間仕切りが配設されていて、該流路内の適宜位置に取り付けたポンプその他の水流生起手段で所定速度の水流が生起されており、前記流路内には多数の前記海老等の甲殻類の養殖装置が所定の間隔で配置されていることを特徴とする海老等の甲殻類の養殖装置および該養殖装置を設置した養殖用水槽。
【請求項５】
前記縦状部材が、直線状または曲線状に折返された波状からなることを特徴とする請求項４に記載の海老等の甲殻類の養殖装置および該養殖装置を設置した養殖用水槽。
【請求項６】
前記高さ保持部材が、前記海老等の甲殻類の養殖装置の少なくとも四隅に配設された支持脚または吊下げ部材からなることを特徴とする請求項４または５に記載の海老等の甲殻類の養殖装置および該養殖装置を設置した養殖用水槽。
【発明の詳細な説明】
【技術分野】
【０００１】
本発明は、海老等の甲殻類が各個室に整然と入るばかりか、成長に伴う脱皮の直後の軟質体が露出している時期における共食いが確実に防止できるため、大幅に歩留まりを向上させた海老等の甲殻類の養殖装置に関する。
【背景技術】
【０００２】
ａ）従来、例えば特開昭５８−１７９４２３号公報（特許文献１参照）や特開昭５８−１９３６３５号公報（特許文献２参照）のような、箱型でかつ網製の飼育室を複数個併設した海老等の甲殻類のための養殖設備が種々提案されている。
ｂ）また、特開昭６２−５５０３１号公報（特許文献３参照）には、網製の函体に、樹脂製の網状材料を楕円球状の立方体からなる複数の籠体を多数収容したものが提案されている。
【先行技術文献】
【特許文献】
【０００３】
【特許文献１】特開昭５８−１７９４２３号公報
【特許文献２】特開昭５８−１９３６３５号公報
【特許文献３】特開昭６２−５５０３１号公報
【発明の概要】
【発明が解決しようとする課題】
【０００４】
しかしながら、本発明者の実験によれば、箱型の網状飼育室や立方体からなる籠体を使用した場合、海老等の甲殻類が個別の箱型の網状飼育室や立方体からなる籠体にはまったく入ってくれず、非常に歩留まりの悪い結果しか得られないという問題があった。
そこで本発明者が鋭意研究を重ねた結果、多段の棚部材と、この各棚部材間を上下に所定間隔で連結した縦状部材とで区画された連続する多数の個室を適用した場合、海老等の甲殻類が各個室に整然と入ることが判明したのである。
さらに、水面から棚部材の上面までの距離が成長に伴う脱皮の直後の軟質体が水中に沈み込んでしまう深さに保持することができるようにしたことにより、成長に伴う脱皮の直後の軟質体が露出している時期における共食いが確実に防止でき、養殖の歩留まりが数％から８０％以上に飛躍的に向上することが判明したのである。
【０００５】
本発明は、海老等の甲殻類が各個室に整然と入るばかりか、水面から棚部材の上面までの距離が成長に伴う脱皮の直後の軟質体が水中に沈み込んでしまう深さに保持することができるようにしたことにより、成長に伴う脱皮の直後の軟質体が露出している時期における共食いが確実に防止できるために極めて歩留まりがよく、また構造が単純で製作しやすく、かつ安価な海老等の甲殻類の養殖装置を提供することを目的とする。
【課題を解決するための手段】
【０００６】
すなわち本発明の海老等の甲殻類の養殖装置は、多段の棚部材と、前記各棚部材間を上下に所定間隔で連結した縦状部材とで区画された連続する多数の個室とを備え、
前記各棚部材は下の段がせり出したベランダ部を有し、
前記各棚部材と縦状部材とはおのおの網状素材で構成された海老等の甲殻類の養殖装置であって、
該海老等の甲殻類の養殖装置は、該海老等の甲殻類の養殖装置を設置する養殖用水槽の底面から所定高さに保持することができるとともに、水面から棚部材の上面までの距離が成長に伴う脱皮の直後の軟質体が水中に沈み込んでしまう深さに保持することができる高さ保持部材を備えており、
前記各棚部材と縦状部材とで構成された多数の個室内に個々の海老が入り込んで共食いなく養殖することができるようにしたことを特徴とするものである。
【０００７】
本発明の海老等の甲殻類の養殖装置において、前記縦状部材が、直線状または曲線状に折返された波状からなることを特徴とする請求項１に記載の海老等の甲殻類の養殖装置。
【０００８】
本発明の海老等の甲殻類の養殖装置において、前記高さ保持部材が、前記海老等の甲殻類の養殖装置の少なくとも四隅に配設された支持脚または吊下げ部材からなることを特徴とする請求項１または２に記載の海老等の甲殻類の養殖装置。
【０００９】
本発明の海老等の甲殻類の養殖装置および該養殖装置を設置した養殖用水槽は、海老等の甲殻類の養殖装置と、該養殖装置を設置する養殖用水槽とからなる海老等の甲殻類の養殖装置および該養殖装置を設置した養殖用水槽であって、
前記養殖装置は、多段の棚部材と、前記各棚部材間を上下に所定間隔で連結した縦状部材とで区画された連続する多数の個室とを備え、
前記各棚部材は下の段がせり出したベランダ部を有し、
前記各棚部材と縦状部材とはおのおの網状素材で構成され、
前記養殖用水槽の底面から所定高さに保持することができるとともに、水面から棚部材の上面までの距離が成長に伴う脱皮の直後の軟質体が水中に沈み込んでしまう深さに保持することができる高さ保持部材を備えており、
前記各棚部材と縦状部材とで構成された多数の個室内に個々の海老が入り込んで共食いなく養殖することができるようにするとともに、
前記養殖用装置は、ほぼ中央に間仕切りが配設されていて、該流路内の適宜位置に取り付けたポンプその他の水流生起手段で所定速度の水流が生起されており、前記流路内には多数の前記海老等の甲殻類の養殖装置が所定の間隔で配置されていることをも特徴とするものである。
【００１０】
本発明の海老等の甲殻類の養殖装置および該養殖装置を設置した養殖用水槽のおいて、前記縦状部材が、直線状または曲線状に折返された波状からなることをも特徴とするものである。
【００１１】
本発明の海老等の甲殻類の養殖装置および該養殖装置を設置した養殖用水槽において、前記高さ保持部材が、前記海老等の甲殻類の養殖装置の少なくとも四隅に配設された支持脚または吊下げ部材からなることをも特徴とするものである。
【発明の効果】
【００１２】
請求項１の発明によれば、多段の棚部材と、この各棚部材間を上下に所定間隔で連結した縦状部材とで区画された連続する多数の個室という構造を採用したため、海老等の甲殻類が各個室に整然と入ることとなり、かつ水面から棚部材の上面までの距離が成長に伴う脱皮の直後の軟質体が水中に沈み込んでしまう深さに保持することができるようにしたことにより、共食いが大幅に低減できて養殖の歩留まりが数％から８０％以上に飛躍的に向上し、しかも構造が単純で製作しやすく、かつ安価な海老等の甲殻類の養殖装置を提供することが可能となった。
なお、本発明の海老等の甲殻類の養殖装置によれば、各個室（シェルタ）を効率的に組み合わせることが可能であって、設置するプールの中の底面積をより大きく画定することができる。
【００１３】
請求項２の発明によれば、前記縦状部材が、直線状または曲線状に折返された構造からなるものであって、いずれも構造が単純で製作しやすく、かつ安価な海老等の甲殻類の養殖装置を提供することが可能となった。
【００１４】
請求項３の発明によれば、前記高さ保持部材が、前記海老等の甲殻類の養殖装置の少なくとも四隅に配設された支持脚またはフックその他の吊下げ部材からなるものであって、海老等の甲殻類が前記養殖用水槽の底部を自由に移動することができ、三角状に区画された連続する多数の個室に無理なく入り込むことができる海老等の甲殻類の養殖装置を提供することが可能となった。
【００１５】
請求項４ないし６の発明によれば、前記養殖用水槽が、ほぼ中央に間仕切りが配設されていて、該流路内の適宜位置に取り付けたポンプその他の水流生起手段で所定速度の水流が生起されており、前記流路内には多数の海老等の甲殻類の養殖装置が所定の間隔で配置できるので、海老等の甲殻類を量産することができ、かつ非常に安価な海老等の甲殻類の養殖装置を提供することが可能となった。
【図面の簡単な説明】
【００１６】
【図１】本発明の海老等の甲殻類の養殖装置の１実施例を示し、多段の棚部材と、この各棚部材間を上下に所定間隔で連結した縦状部材とでほぼ矩形に区画された連続する多数の個室という構造を採用した海老等の甲殻類の養殖装置の概略正面図である。
【図２】その概略平面図である。
【図３】その概略斜視図である。
【図４】本発明の海老等の甲殻類の養殖装置の変形例を示す概略斜視図である。
【図５】本発明の海老等の甲殻類の養殖装置のさらに別の実施例を示し、多段の棚部材と、この各棚部材間を上下に所定間隔で連結した波状部材とでほぼ三角状に区画された連続する多数の個室という構造を採用した海老等の甲殻類の養殖装置の概略斜視図である。
【図６】その概略平面図である。
【図７】その概略斜視図である。
【図８】本発明の海老等の甲殻類の養殖装置の変形例を示す概略斜視図である。
【図９】本発明の海老等の甲殻類の養殖装置において、水面から棚部材の上面までの距離が成長に伴う脱皮の直後の軟質体が水中に沈み込んでしまう深さに保持されている状態を示す概略斜視図である。
【図１０】本発明の海老等の甲殻類の養殖装置を養殖用水槽に適用した状態の実施例を示す概略平面図である。
【発明を実施するための形態】
【００１７】
以下、本発明の海老等の甲殻類の養殖装置の実施形態について、図面を参照しながら説明する。
図１ないし図３は、本発明の海老等の甲殻類の養殖装置の１実施例を示すものである。
すなわち海老等の甲殻類の養殖装置１１は多段の棚部材１２と、前記各棚部材１２間を上下に所定間隔で連結した縦状部材１３とで構成したほぼ矩形に区画された連続する多数の個室１４とを備えている。ちなみにこの個室の長さ（奥行き）は、海老等の甲殻類の出入りのしやすさ等を勘案して、海老等の甲殻類の長さとほぼ等しい長さとすることが望ましい。
また前記各棚部材１２は下の段がせり出したベランダ部１２ａを有し、かつ前記各棚部材１２と縦状部材１３、および養殖装置１１のハウジング（外枠）とはおのおの網状素材で構成されている。
【００１８】
前記多段の棚部材１２と、前記各棚部材１２間を上下に所定間隔で連結した縦状部材１３とで構成したほぼ矩形（四角形）に区画された連続する多数の個室１４を備えた構造物は、単一ユニットの海老等の甲殻類の養殖装置１１になるよう形成されており、この海老等の甲殻類の養殖装置１１のユニットは図１０に示す養殖用水槽３１に適宜間隔で設置することができる。もちろん、前記養殖装置１１を設置する養殖用水槽としては、図１０に示す養殖用水槽３１の構造に限定されるものではない。
【００１９】
図４において、１６は前記海老等の甲殻類の養殖装置１１を前記養殖用水槽３１の底面から所定高さに保持する高さ保持部材として前記海老等の甲殻類の養殖装置１１の四隅から垂設した吊下げ部材であり、前記養殖用水槽３１内の上部に取り付けたワイヤ等の懸垂手段（図示せず）に取り付けられて、前記海老等の甲殻類の養殖装置１１を前記養殖用水槽３１の底部から所定高さに保持することができるようになっている。前記吊下げ部材１６としてはフックその他の低コストの素材を使用することもできる。
なお、水面から前記養殖用水槽３１内に設置した前記海老等の甲殻類の養殖装置１１の最上部の棚部材１２の上面までの距離が、成長に伴う脱皮の直後の軟質体が水中に沈み込んでしまう深さに保持することができるようにしたことにより、共食いが飛躍的に減少して約８割以上の生存確率で前記海老等の甲殻類を養殖することができるようになった。図では５ｍｍ〜３０ｍｍ程度を想定している。
【００２０】
また、図３に示すように、前記海老等の甲殻類の養殖装置１１は前記養殖用水槽３１の底面から所定高さに保持することができるようにした高さ保持部材を備えており、本実施例では前記高さ保持部材は前記海老等の甲殻類の養殖装置１１の四隅から立設した支持脚１５で形成されている。そしてこのように構成することにより、海老等の甲殻類が前記養殖用水槽３１の底部を自由に移動することができ、ほぼ矩形に区画された連続する多数の個室１４に無理なく入り込むことができる。また、前記養殖用水槽３１の底部に降下してきた脱皮物が水流によって洗い流されるので、前記多数の個室１４内に個々の海老が入り込んで共食いが大幅に減少し、かつ共食いを誘発する脱皮物も水流できれいに洗い流すことができる。
もちろん、前記海老等の甲殻類の養殖装置１１を前記養殖用水槽３１の底面から所定高さに保持することができるようにした高さ保持部材１５，１６は、併用可能であるとともに、いずれかを適宜選択して適用してもよい。
【００２１】
図５ないし図８は、本発明の海老等の甲殻類の養殖装置の他の実施例を示すものである。
すなわち海老等の甲殻類の養殖装置２１は多段の棚部材２２と、前記各棚部材２２間を上下に所定間隔で連結した縦状部材２３とで構成したほぼ三角状に区画された連続する多数の個室２４とを備えている。ちなみにこの個室の長さ（奥行き）は、海老等の甲殻類の出入りのしやすさ等を勘案して、海老等の甲殻類の長さとほぼ等しい長さとすることが望ましい。
また前記各棚部材２２は下の段がせり出したベランダ部２２ａを有し、かつ前記各棚部材２２と縦状部材２３を形成する波状部材２３ａ、および養殖装置２１のハウジング（外枠）とはおのおの網状素材で構成されている。
【００２２】
前記多段の棚部材２２と、前記各棚部材２２間を上下に所定間隔で連結した波状部材２３ａからなる縦状部材２３とで構成したほぼ三角状に区画された連続する多数の個室２４を備えた構造物は、単一ユニットの海老等の甲殻類の養殖装置２１になるよう形成されており、この海老等の甲殻類の養殖装置２１のユニットは図１０に示す養殖用水槽３１に適宜間隔で設置することができる。もちろん、前記養殖装置２１を設置する養殖用水槽としては、図１０に示す養殖用水槽３１の構造に限定されるものではない。
【００２３】
また、図８に示すように、２６は前記海老等の甲殻類の養殖装置２１を前記養殖用水槽３１の底面から所定高さに保持することができるようにした高さ保持部材として前記海老等の甲殻類の養殖装置２１の四隅から垂設した吊下げ部材であり、前記養殖用水槽３１内の上部に取り付けたワイヤ等の懸垂手段（図示せず）に取り付けられて、前記海老等の甲殻類の養殖装置２１を前記養殖用水槽３１の底部から所定高さに保持することができるようになっている。
【００２４】
また、図７に示すように、前記海老等の甲殻類の養殖装置２１は前記養殖用水槽３１の底面から所定高さに保持することができるようにした高さ保持部材を備えており、本実施例では前記高さ保持部材は前記海老等の甲殻類の養殖装置２１の四隅から立設した支持脚２５で形成されている。
そしてこのように構成することにより、海老等の甲殻類が前記養殖用水槽３１の底部を自由に移動することができ、ほぼ三角状に区画された連続する多数の個室２４に無理なく入り込むことができる。また、前記養殖用水槽３１の底部に降下してきた脱皮物が水流によって洗い流されるので、前記多数の個室２４内に個々の海老が入り込んで共食いが大幅に減少し、かつ共食いを誘発する脱皮物も水流できれいに洗い流すことができる。
【００２５】
前記縦状部材２３は図５ないし図８の実施例においては、間仕切り部は波状に折返された波状部材２３ａからなるものであるが、直線的に折返された縦状部材とすることもできる。
実験によれば、ほぼ三角状に区画された連続する多数の個室２４であれば、前記縦状部材２３が直線状あるいは曲線状のいずれの波状部材２３ａであってもほぼ同様の歩留まりで海老等の甲殻類を養殖することが可能であることが判明した。
【００２６】
なお図９に示すように、水面から前記養殖用水槽３１内に設置した前記海老等の甲殻類の養殖装置１１，２１の最上部の棚部材１２，２２の上面までの距離が、成長に伴う脱皮の直後の軟質体が水中に沈み込んでしまう深さに保持することができるようにしたことにより、共食いが飛躍的に減少して約８割以上の生存確率で前記海老等の甲殻類を養殖することができるようになった。
【００２７】
図１０は、本発明の海老等の甲殻類の養殖装置を養殖用水槽に適用した状態の実施例を示すものである。
すなわち前記養殖用水槽３１は縦長に形成されていて、そのほぼ中央に長さ方向に沿って間仕切り３２が配設されている。そして該間仕切り３２の両側を流路３３として利用するものである。
前記養殖用水槽３１内の間仕切り３２の両側に位置する前記流路３３の適宜位置には、ポンプその他の水流生起手段３４が取り付けてあって所定速度の水流が生起されるようになっている。
【００２８】
そして、前記流路３３内には多数の海老等の甲殻類の養殖装置１１，２１が所定の間隔で配置されている。
また流路３３内の適宜位置、例えば前記養殖用水槽３１内の対角線位置には一対のスクリュー内蔵のポンプ３４ａが、また前記流路３３内の適所には横軸の周面に羽根を取り付けたファン３４ｂがそれぞれ水流生起手段３４として配設されている。このポンプ３４ａあるいはファン３４ｂはそれぞれ単独で使用しても、また併用してもよい。もちろん、前記ポンプ３４ａやファン３４ｂ以外の水流生起手段３４を用いても全く問題がない。
前記流路３３の適宜位置には、排水管３５ａおよび給水管３５ｂを介して濾過器３５が連結されており、本発明の海老等の甲殻類の養殖装置１１，２１を長時間運用しても前記養殖用水槽３１内の汚濁を防止することができる。
【００２９】
前記養殖用水槽３１内に配設された単一ユニットの海老等の甲殻類の養殖装置１１，２１は、図３、図４、図７、図８に示されているように、前記養殖用水槽３１の底面から前記高さ保持部材１５，１６，２５，２６により所定の高さに保持されている。
また、多数の単一ユニットの海老等の甲殻類の養殖装置１１，２１が上下に連結されており、したがって多段に形成したほぼ矩形またはほぼ三角状、ないしはその他の形状に区画された連続する多数の個室１４，２４が、前記流路３３内にその長さ方向に沿って適宜間隔で複数列配設されている。
ちなみに、各列ごとにその長さ方向に沿って連結アーム３６を取り付けておけば、この連結アーム３６ごとに取り付けあるいは取り外すことができ、維持管理に非常に有用である。
なお、水面から前記養殖用水槽３１内に設置した前記海老等の甲殻類の養殖装置１１，２１の最上部の棚部材１２，２２の上面までの距離が、成長に伴う脱皮の直後の軟質体が水中に沈み込んでしまう深さに保持されていることにより、共食いが飛躍的に減少して約８割以上の確率確率で前記海老等の甲殻類を養殖することができるようになった。
【００３０】
以上の、単一ユニットの海老等の甲殻類の養殖装置１１，２１を前記養殖用水槽３１内に所定間隔で配設した本実施例においては、多段に形成したほぼ矩形またはほぼ三角状に区画された連続する多数の個室１４，２４内に海老等の甲殻類がほぼ隙間なく入居しており、極めて歩留まりのよい海老等の甲殻類の養殖装置および該養殖装置を設置した養殖用水槽を提供することが可能となった。
ちなみに本発明の海老等の甲殻類の養殖装置１１，２１における前記歩留まりは、８０％を超えるものとすることができ、従来のこの種装置における５〜１５％に比べて飛躍的に歩留まりを向上させることができるようになった。
また、濾過器３５には前記養殖用水槽３１内の廃液を強制的に循環させる機能を持たせることができ、その際には前記スクリュー内蔵のポンプ３４ａと併用させることができる。
なお、前記濾過器３５の使用は任意である。
【産業上の利用可能性】
【００３１】
本発明の海老等の甲殻類の養殖装置および該養殖装置を設置した養殖用水槽の各部の構成や形状は、本実施形態の構成や形状に限定されない。
また本発明の海老等の甲殻類の養殖装置および該養殖装置を設置した養殖用水槽はオニテナガエビの養殖に好適に使用することができるが、本発明の要旨を変更しない限り、オニテナガエビ以外の甲殻類の養殖装置および該養殖装置を設置した養殖用水槽として使用することができる。
【符号の説明】
【００３２】
１１  海老等の甲殻類の養殖装置
１２  棚部材
１２ａ  ベランダ部
１３  縦状部材
１４  個室
１５  支持脚
１６  吊下げ部材
２１  甲殻類の養殖装置
２２  棚部材
２２ａ  ベランダ部
２３  縦状部材
２３ａ  波状部材
２４  個室
２５  支持脚
２６  吊下げ部材
３１  養殖用水槽
３２  間仕切り
３３  流路
３４  水流生起手段
３４ａ  ポンプ
３４ｂ  ファン
３５  濾過器
３５ａ  排水管
３５ｂ  給水管
３６  連結アーム
【要約】      （修正有）【課題】海老等の甲殻類が各個室に整然と入るばかりか、成長に伴う脱皮の直後の軟質体が露出している時期における共食いが確実に防止できるために極めて歩留まりがよく、また構造が単純で製作しやすく、かつ安価な海老等の甲殻類の養殖装置を提供する。【解決手段】多段の棚部材１２と、前記各棚部材間を上下に所定間隔で連結した縦状部材１３とで区画された連続する多数の個室１４とを備え、前記各棚部材は下の段がせり出したベランダ部１２ａを有し、前記各棚部材と縦状部材とはおのおの網状素材で構成された、養殖用水槽に設置される海老等の甲殻類の養殖装置１１であって、該海老等の甲殻類の養殖装置は前記養殖用水槽の底面から所定高さに保持する高さ保持部材を備えており、前記各棚部材と縦状部材とで構成された多数の個室内に個々の海老が入り込んで共食いなく養殖することができるようにしたことを特徴とする海老等の甲殻類の養殖装置。【選択図】図３【図１】
0006887052.tif 000002
【図２】
0006887052.tif 000003
【図３】
0006887052.tif 000004
【図４】
0006887052.tif 000005
【図５】
0006887052.tif 000006
【図６】
0006887052.tif 000007
【図７】
0006887052.tif 000008
【図８】
0006887052.tif 000009
【図９】
0006887052.tif 000010
【図１０】
0006887052.tif 000011